(57)【要約】【課題】省エネルギー発電機セットを提供する。【解決手段】省エネルギー発電機セットは、発電機内部に蓄電池を有し、発電機セットを起動することに用いる発電機と、該発電機セット内部に設置されてカッティング磁力コイルを介して高圧電源を発生する機械エネルギー発生装置とが設置され、発電機セットが発生する該高圧電源を分電盤によって３部分に分け、一部分は該機械エネルギー発生装置の発電使用に供給し、もう一部分は該蓄電池にフィードバックし、更にもう一部分は出力インターフェイスに送り、外部の電気製品に供給して使用する。該機械エネルギー発生装置を制御起動し、該蓄電池の充電完了後、該出力インターフェイスに導入する制御スイッチとから構成され、省エネルギー効果を達成する。【選択図】図1
0003140973.tif 000002
【実用新案登録請求の範囲】
【請求項１】
発電機内部に蓄電池を有し、発電機セットを起動することに用いる発電機と、
前記発電機セット内部に設置され、カッティング磁力コイルを介して高圧電源を発生する機械エネルギー発生装置と、
前記発電機セットに設置され、発電機セットが発生する該高圧電源を分電盤により３部分に分け、一部分は前記機械エネルギー発生装置の発電使用に供給し、一部分は該蓄電池にフィードバックし、もう１つの部分は出力インターフェイスに送って外部の電気製品に供給して使用し、
前記発電機には、前記機械エネルギー発生装置を制御起動し、前記蓄電池の充電完了後、該出力インターフェイスに導入する制御スイッチとを設けたことを特徴とする省エネルギー発電機セット。
【請求項２】
前記カッティング磁力コイルは電力を発生し、前記発電機セットを連動し、運転させ、該高圧電源を発生させることを特徴とする請求項１記載の省エネルギー発電機セット。
【請求項３】
前記蓄電池が、鉛蓄電池、リチウム電池または燃料電池であることを特徴とする請求項１記載の省エネルギー発電機セット。
【請求項４】
前記発電機内に、更に、該機械エネルギー発生装置が発生する高圧電源を直流電源に変換し、該分電盤に接続する変換器を含むことを特徴とする請求項１記載の省エネルギー発電機セット。
【請求項５】
前記機械エネルギー発生装置は、自然界の風力を利用して運転することを特徴とする請求項１記載の省エネルギー発電機セット。
【請求項６】
前記機械エネルギー発生装置が自然界の太陽エネルギーを利用して運転することを特徴とする請求項１記載の省エネルギー発電機セット。
【請求項７】
前記機械エネルギー発生装置が自然界の温度差を利用して運転することを特徴とする請求項１記載の省エネルギー発電機セット。
【請求項８】
前記機械エネルギー発生装置が自然界の潮汐水流を利用して運転することを特徴とする請求項１記載の省エネルギー発電機セット。
【考案の詳細な説明】
【技術分野】
【０００１】
本考案は、発電機に関し、特に省エネルギー発電機セットに関する。
【背景技術】
【０００２】
環境保護意識の向上に従い、科学技術先進国家は、皆発電代替案の研究を行っている。太陽エネルギー、燃料電池または風力発電は、いずれも応用上は、異なる「エネルギー集中生産」の発電方式であり、「分散式発電」は依然としてエネルギー界では、新しいものとなっている。また、石油価格が上昇し続け、グリーンエネルギーへの転移は、経営上、全地球の発展目標となっている。従来の「ガスマイクロタービン発電機」は一台13万スイスフラン（約7．7万米ドル）を要し、一般のディーゼルまたはガス火力発電機の価格に相当し、運転原理は、いずれも直接回転軸を連動し、電力を発生するが、発電機セットの価格は非常に高く、効果は有限であり、使用期限も有限であり、多くの人力と資源で該発電機セットの運転を維持する必要があり、コストも高く、節約、環境保全に適合していない。
【０００３】
通常の従来の火力発電機の規模は消費者群の見積もりが必要とする熱エネルギーに基づいて決定し、余った電量があれば、供給設備中に入力保存し、保存施設の老化によって電力の消耗流出を起こし、コスト的に非常に損失である。
【０００４】
これに鑑みて、本考案は、従来技術中に存在する欠陥を解決するために、省エネルギー発電機セットを提示する。
【特許文献１】特開２０００−４１３３６号公報
【特許文献２】特開平１１−２９９１０６号公報
【考案の開示】
【考案が解決しようとする課題】
【０００５】
本考案の目的は、発電機セットを介して高圧電源を発生し、蓄電池に充電し、出力インターフェイスに電力を出力し、その残りの高圧電源は該機械エネルギー発生装置の発電運転に供給して使用し、該蓄電池を経て起動した後、自身が循環する高圧電源を発生でき、節約環境保護の目的を達成する省エネルギー発電機セットを提供することにある。
【０００６】
本考案のもう１つの目的は、磁力線をコイルが横切る（カット）ことによる発電原理により電力を発生して、発電機セットが発生する電力を拡大し、比較的大きな高圧電源を発生し、外部使用に供給し、電力供給の効果を達成する省エネルギー発電機セットを提供することにある。
【課題を解決するための手段】
【０００７】
上記の目的を達成する為、本考案の省エネルギー発電機セットは、発電機内部に蓄電池を有し、発電機セットを起動することに用いる発電機と、該発電機セット内部に設置され、カッティング磁力コイルを介して高圧電源を発生する機械エネルギー発生装置と、該発電機セットに設置され、発電機セットが発生する該高圧電源を３部分に分け、一部分は、該機械エネルギー発生装置の発電使用に供給し、一部分は、該蓄電池にフィードバックし、もう１つの部分は、出力インターフェイスに送り、外部の電気製品に供給して使用する分電盤と、該機械エネルギー発生装置を制御起動し、該蓄電池の充電完了後、該出力インターフェイスに導入する制御スイッチと、を含み、省エネルギー効果を達成し、構造が簡単で、安定性が高い。
前記カッティング磁力コイルは電力を発生し、前記発電機セットを連動し、運転させ、該高圧電源を発生させることができ、前記蓄電池としては、鉛蓄電池、リチウム電池または燃料電池であるればよい。また、前記発電機内に、機械エネルギー発生装置が発生する高圧電源を直流電源に変換し、該分電盤に接続する変換器を設けることができる。
【考案の効果】
【０００８】
本考案によれば、発電機セットを介して高圧電源を発生し、この高圧電源を変換器によって制御が容易な直流電源に転換し、一部は蓄電池に充電し、一部は出力インターフェイスに電力を出力し、その残りの高圧電源は該機械エネルギー発生装置の発電運転に供給して使用し、該蓄電池を経て起動した後、自身が循環する高圧電源を発生するようにしたので、電力を無駄に捨てることがなく、エネルギーを節約でき、結果として環境保護の目的に合致する。
また、前記機械エネルギー発生装置の運転の駆動源として、自然界の風力を利用することができ、同様に太陽エネルギー、自然界の温度差、自然界の潮汐水流を利用することができる。
【考案を実施するための最良の形態】
【０００９】
本考案の好適な省エネルギー発電機セットの実施例を図面を参照して説明する。
図１は、本考案の実施例の省エネルギーエネルギー発電機セットのブロック図であり、図２は、本考案は、エネルギー発電機セットの立体図であり、図に示すように、発電機１０は、該発電機１０内部に蓄電池１０１と設置し、発電機１０を起動することに用い、機械エネルギー発生装置１０２は、発電機１０内部に設置され、機械エネルギー発生装置１０２内部でカッティング磁力コイルの運転を介して高圧電源を発生し、変換器１０３を経由して、該機械エネルギー発生装置が発生する高圧電源を回転制御が容易な直流電に変換し、機械エネルギー発生装置１０２が発生する高圧電源を分電盤１０４上に変換し伝送する。
分電盤１０４を経由して高圧電源を３部分に分け、一部分は、機械エネルギー発生装置１０２に伝送し、継続して発電させ、高圧電源を発生させ、一部分は、該蓄電池１０１にフィードバックし、最後の一部分は、出力インターフェイス１０５に導入し、外部の電気製品に電源供給し使用する。
そして、蓄電池１０１内部の電力が充填された後、制御スイッチ１０６によって制御し、高圧電源をインターフェイス１０５に導入し、このようにして、発電機１０は休まず循環し高圧電源を発生し、カッティング磁力コイルが磁力線を回転等で横切ることによりカット磁力コイル内部での発生電力を通して、該機械エネルギー発生装置１０２が発生する高圧電源は拡大される。且つ、該機械エネルギー発生装置１０２が発生する高圧電力は、該発電機１０の起動運転に必要なエネルギーよりも大きく、尽きることなく取得する目的を達成する。
【００１０】
蓄電池１０１は鉛蓄電池、リチウム蓄電池または燃料電池等の蓄電ユニットであることができ、且つ機械エネルギー発生装置１０２は、自然界の風力、太陽エネルギー、温度差および潮汐水流を利用して運転し、省エネルギーの効果を達成し、また、この発電機１０の大きくは、無限大に製造でき、工場、都市の使用に供給し、小さくは、１０〜２０ｍに縮小し、個人で使用することができる。
【００１１】
このように、省エネルギー発電機セットは、発電機内部に蓄電池を有し、発電機セットを起動することに用いる発電機と、該発電機セット内部に設置されカッティング磁力コイルを介して高圧電源を発生する機械エネルギー発生装置とが該発電機セットに設置され、発電機セットが発生する該高圧電源を３部分に分け、一部分は該機械エネルギー発生装置の発電使用に供給し、もう一部分は該蓄電池にフィードバックし、更にもう一部分は出力インターフェイスに送り、外部の電気製品に供給して使用する分電盤と、該機械エネルギー発生装置を制御起動し、該蓄電池の充電完了後、該出力インターフェイスに導入する制御スイッチとを含む構成であるので、先ず、発電機セットを介して高圧電源を発生し、蓄電池に充電し、出力インターフェイスに電力を出力し、その残りの高圧電源は該機械エネルギー発生装置の発電運転に供給して使用し、該蓄電池を経て起動した後、自身が循環する高圧電源を発生でき、電力を無駄に捨てることがなく、省エネルギー効果を達成し、エネルギー節約して、結果として、環境保護の目的を達成する。
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１２】
【図１】本考案の実施例の省エネルギー発電機セットのブロック図である。
【図２】本考案の実施例の省エネルギー発電機セットの立体図である。
【符号の説明】
【００１３】
１０  発電機
１０１  蓄電池
１０２  機械エネルギー発生装置
１０３  変換器
１０４  分電盤
１０５  出力インターフェイス
１０６  制御スイッチ
【図１】
0003140973.tif 000003
【図２】
0003140973.tif 000004